(57)【要約】【課題】ニッパや鋏状の刃物等が入り難い狭い場所に布線されている電線を容易に切断することができ、かつ、特別な機構を設けることなく電線切断後の切り屑が発生することを防止する電線切断治具を提供する。【解決手段】本発明の電気切断治具は、長手方向に軸孔と、先端の幅方向に電線固定溝と、該電線固定溝と連設される第１のスペースとが形成された固定部材と、前記軸孔に挿通され、先端に前記第１のスペースに回転自在に収容される回転刃部が設けられた回転部材と、を備え、前記回転部材を回転させることで、前記電線固定溝に固定された電線を、前記回転部材の一方向の回転につき一箇所のみ、前記回転刃部により切断するよう構成されている。【選択図】図１
2008168389.tif 000002
【特許請求の範囲】
【請求項１】
長手方向に軸孔と、先端の幅方向に電線固定溝と、該電線固定溝と連設される第１のスペースとが形成された固定部材と、
前記軸孔に挿通され、先端に前記第１のスペースに回転自在に収容される回転刃部が設けられた回転部材と、を備え、
前記回転部材を回転させることで、前記電線固定溝に固定された電線を、前記回転部材の一方向の回転につき一箇所のみ、前記回転刃部により切断するよう構成されている、
ことを特徴とする電線切断治具。
【請求項２】
前記固定部材の先端に、前記電線固定溝を挟んで前記第１のスペースと反対側に前記電線固定溝と連設される第２のスペースが形成され、
前記回転部材を回転させることで、前記回転刃部が前記第１のスペースから該第２のスペースに移動するよう構成されている、
ことを特徴とする請求項１に記載の電線切断治具。
【請求項３】
前記電線固定溝と前記第１のスペースと前記第２のスペースとは、略円形を成すよう構成されている、
ことを特徴とする請求項２に記載の電線切断治具。
【請求項４】
前記回転刃部は、上面視で略円形の一部を成す稜線と当該稜線の両端を結んだ直線に囲われた略弦状を成すよう構成されている、
ことを特徴とする請求項３に記載の電線切断治具。
【請求項５】
前記固定部材の先端に、前記第２のスペースが形成された前記固定部材の内周面と前記電線固定溝の壁面が連接する端部を鋭角にしてなる固定刃部が設けられ、
前記回転部材を回転させることで、前記電線固定溝に固定された電線を、前記回転部材の一方向の回転につき一箇所のみ、前記回転刃部及び前記固定刃部により切断し、該切断後の前記電線は前記第２のスペースに収容されるよう構成されている、
ことを特徴とする請求項３または４に記載の電線切断治具。
【請求項６】
前記回転部材の先端に、前記第２のスペースに回転自在に収容される電線戻し部が設けられている、
ことを特徴とする請求項２から５のいずれか１項に記載の電線切断治具。
【請求項７】
前記回転刃部は、前記回転部材の所定の回転方向とその逆の回転方向に対してそれぞれ形成されている、
ことを特徴とする請求項１から６のいずれか１項に記載の電線切断治具。
【発明の詳細な説明】
【技術分野】
【０００１】
本発明は、狭い場所に布線されている電線を容易に切断することができる電線切断治具に関する。
【背景技術】
【０００２】
従来、電線を切断する場合、ニッパや鋏状の刃物を用いて切断したり、あるいはパンチとダイ等の金型を用いて打ち抜いて切断していた。
【０００３】
また、特開２００３−０８０３３３号公報には、図７（ａ）に示すように、軸孔２ａの先端に径方向に電線固定溝２ｂが設けられた固定刃部２ｅと、軸孔２ａに回転自在に嵌挿され先端に径方向に電線固定溝２ｂが設けられた回転刃部３ａとを備え、各電線固定溝２ｂに取り込んだ電線５を、回転刃部３ａを回動させて切断する構成の電線切断治具が開示されている。回転刃部３ａは、一方向の回転につき二箇所設けられている。
【特許文献１】特開２００３−０８０３３３号公報
【発明の開示】
【発明が解決しようとする課題】
【０００４】
しかしながら、ニッパや鋏状の刃物や、パンチとダイ等の金型は、それらが入り難い狭い場所に布線されている電線を切断することができなかった。
【０００５】
また、特許文献１の電線切断治具では、狭い場所に布線されている電線を切断することができるが、図７（ｂ）に示すように、一方向の回転につき二箇所設けられた回転刃部３ａにより、電線５を二箇所で幅切りするために切り屑６が発生し、これらの切り屑６が製品に混入した場合、切断後の電線５と接触してショートを起こしてしまう危険性があり、固定刃部２ｅに屑把持機構を設けたり、回転刃部３ａに屑排出機構を設ける必要があった。
【０００６】
本発明は、ニッパや鋏状の刃物等が入り難い狭い場所に布線されている電線を容易に切断することができ、かつ、特別な機構を設けることなく電線切断後の切り屑が発生することを防止する電線切断治具を提供することを目的とする。
【課題を解決するための手段】
【０００７】
請求項１に記載の電線切断治具は、長手方向に軸孔と、先端の幅方向に電線固定溝と、該電線固定溝と連設される第１のスペースとが形成された固定部材と、前記軸孔に挿通され、先端に前記第１のスペースに回転自在に収容される回転刃部が設けられた回転部材と、を備え、前記回転部材を回転させることで、前記電線固定溝に固定された電線を、前記回転部材の一方向の回転につき一箇所のみ、前記回転刃部により切断するよう構成されている、ことを特徴とする。
【０００８】
請求項２に記載の電線切断治具は、請求項１に記載のものであって、前記固定部材の先端に、前記電線固定溝を挟んで前記第１のスペースと反対側に前記電線固定溝と連設される第２のスペースが形成され、前記回転部材を回転させることで、前記回転刃部が前記第１のスペースから該第２のスペースに移動するよう構成されている、ことを特徴とする。
【０００９】
請求項３に記載の電線切断治具は、請求項２に記載のものであって、前記電線固定溝と前記第１のスペースと前記第２のスペースとは、略円形を成すよう構成されている、ことを特徴とする。
【００１０】
請求項４に記載の電線切断治具は、請求項３に記載のものであって、前記回転刃部は、上面視で略円形の一部を成す稜線と当該稜線の両端を結んだ直線に囲われた略弦状を成すよう構成されている、ことを特徴とする。
【００１１】
請求項５に記載の電線切断治具は、請求項３または４に記載のものであって、前記固定部材の先端に、前記第２のスペースが形成された前記固定部材の内周面と前記電線固定溝の壁面が連接する端部を鋭角にしてなる固定刃部が設けられ、前記回転部材を回転させることで、前記電線固定溝に固定された電線を、前記回転部材の一方向の回転につき一箇所のみ、前記回転刃部及び前記固定刃部により切断し、該切断後の前記電線は前記第２のスペースに収容されるよう構成されている、ことを特徴とする。
【００１２】
請求項６に記載の電線切断治具は、請求項２から５のいずれか１項に記載のものであって、前記回転部材の先端に、前記第２のスペースに回転自在に収容される電線戻し部が設けられている、ことを特徴とする。
【００１３】
請求項７に記載の電線切断治具は、請求項１から６のいずれか１項に記載のものであって、前記回転刃部は、前記回転部材の所定の回転方向とその逆の回転方向に対してそれぞれ形成されている、ことを特徴とする。
【発明の効果】
【００１４】
請求項１に記載の発明によると、回転部材を回転させることで、電線固定溝に固定された電線を、回転部材の一方向の回転につき一箇所のみ、回転刃部により切断することから、切り屑が発生することを防止でき、製品に切り屑が混入することを防止できる。
【００１５】
請求項２に記載の発明によると、回転刃部が第１のスペースから第２のスペースに抜け切ることから、より確実に電線を切断することができる。また、切断後の電線を第２のスペースに逃がすことができる。
【００１６】
請求項３に記載の発明によると、固定部材に軸孔を成形する際に、中心を円形に刳り抜けば、第１のスペースと第２のスペースも同時に成形されることから、固定部材の製造が容易となる。
【００１７】
請求項４に記載の発明によると、回転部材に回転刃部を成形する際に、第１のスペースに収容される以外の回転部材の先端を長手方向に一部切り欠いて、第１のスペースに収容される固定部材の先端をそのまま回転刃部とすればよいことから、回転部材の製造が容易となる。
【００１８】
請求項５に記載の発明によると、対向する回転刃部と固定刃部により電線を両側から切断することから、より少ない力で電線を切断できる。また、切断後の電線を第２のスペースに逃がして収容することから、電線の切断面同士が接触してショートする危険性を防ぐことができる。
【００１９】
請求項６に記載の発明によると、電線の切断後に回転部材を逆に回転させることで、電線戻し部が第２のスペースに収容された電線を切断前の真直な状態に戻すことから、電線の端部が曲がっている状態が不都合な製品等に対応して、切断後の電線の状態を選択することができる。
【００２０】
請求項７に記載の発明によると、電線を切断できる回転部材の回転方向が２箇所になることから、回転刃部が１つの場合に比べて回転部材の寿命が２倍になり、回転刃部の交換による段取り換え回数も削減できる。
【発明を実施するための最良の形態】
【００２１】
本発明の実施形態となる電線切断治具を、図面を参照しながら説明する。
図１は、本発明の第１実施形態の電線切断治具の全体を説明する斜視図である。
図１に示すように、電線切断治具１は、固定部材２、回転部材３、ハンドル４から成る。
固定部材２は、例えば四角柱形状をなし、先端の幅方向に断面コの字状の電線固定溝２ｂが設けられ、電線固定溝２ｂから基端まで中心に軸孔２ａが貫設されている。電線固定溝２ｂに連設される形で第１のスペース２ｃが形成されている。電線固定溝２ｂは、切断すべき電線を取り込み固定するものである。
【００２２】
回転部材３は、固定部材２の軸孔２ａに回転自在に挿通されるよう、例えば円形柱状をなし、回転部材３に固定部材２を挿通した際に固定部材２の先端の第１のスペース２ｃに回転自在に収容される、回転刃部３ａを備えている。すなわち回転刃部３ａは回転部材３の先端に突出して設けられ、回転刃部３ａの突出長さは電線固定溝２ｂの深さと同一である。回転刃部３ａは回転部材３の一方向の回転につき一箇所のみに設けられている。回転部材３の基端にはハンドル４が設けられている。ハンドル４は、回転部材３を回転させる際の力点となるものである。
【００２３】
図２は、第１実施形態の電線切断治具を用いて電線を切断する動作を説明する図である。
図２（ａ）〜（ｄ）は第１実施形態の電線切断治具１の先端を拡大した平面図である。図２（ａ）に示すように、第１のスペース２ｃには回転刃部３ａが収容されている。次いで、図２（ｂ）に示すように、電線５を電線固定溝２ｂに取り込み固定する。そして、図２（ｃ）に示すように、ハンドル４によって回転部材３を矢印方向に回転させると、回転刃部３ａが第１のスペース２ｃが形成された固定部材２の内周面を摺動回転し、電線５を切断する。すなわち、回転部材３の一方向の回転につき一箇所のみ、電線５を切断することになる。この第１実施形態では、電線固定溝２ｂに回転刃部３ａが突き当たった状態が、電線５の切断が終わった状態である。このような構成にすると、回転部材を回転させることで、電線固定溝に固定された電線を、回転部材の一方向の回転につき一箇所のみ、回転刃部により切断することから、切り屑が発生することを防止でき、製品に切り屑が混入することを防止できる。
なお、図２（ｄ）に示すように、回転刃部３ａを第１のスペース２ｃに２箇所設けてもよい。すなわち、回転部材３の所定の回転方向とその逆の回転方向に対して、回転刃部３ａがそれぞれ設けられている。この場合でも、回転刃部３ａは回転部材３の一方向の回転につき一箇所のみに設けられていることになる。このような構成にすると、電線５を切断できる回転部材３の回転方向が２箇所になることから、回転刃部３ａが１つの場合に比べて回転部材３の寿命が２倍になり、回転刃部３ａの交換による段取り換え回数も削減できる。
【００２４】
図３は、第２実施形態の電線切断治具を用いて電線を切断する動作を説明する図である。
図３（ａ）〜（ｂ）は第２実施形態の電線切断治具１の先端を拡大した平面図である。第２実施形態の電線切断治具の全体図は第１実施形態と同様である。
図３（ａ）に示すように、電線固定溝２ｂを挟んで第１のスペース２ｃと反対側に第２のスペース２ｄが形成されている。第１のスペース２ｃ同様に、第２のスペース２ｄも電線固定溝２ｂに連設されて形成される。そして、図３（ｂ）に示すように、ハンドル４によって回転部材３を矢印方向に回転させると、回転刃部３ａが第１のスペース２ｃと第２のスペース２ｄが形成された固定部材２の内周面を摺動回転し、電線固定溝２ｂに固定された電線５を切断する。第１実施形態との違いは、回転刃部３ａは第１のスペース２ｃから第２のスペース２ｄへ移動した状態が、電線５の切断が終わった状態であること、また切断後の電線５を第２のスペース２ｄへ逃がすことである。このような構成にすると、固定刃部３ａが電線５を抜け切って切断を終え、切断後の電線５と共に第２のスペース２ｄに移動することで、第１実施形態よりも確実に電線５を切断することができる。
図３（ｃ）は第２実施形態の固定部材２を拡大した斜視図である。このように、第１のスペース２ｃと第２のスペース２ｄは、間に挟まれる電線固定溝２ｂと合わせて、略円形を成すことが好ましい。このような構成にすると、固定部材２に軸孔２ａを成形する際に、中心を円形に刳り抜けば、第１のスペース２ｃと第２のスペース２ｄも同時に成形されることから、固定部材２の製造が容易となる。
【００２５】
図４（ａ）は第３実施形態の電線切断治具１の先端を拡大した平面図である。第３実施形態の電線切断治具の全体図は第１実施形態と同様である。
図４（ａ）に示すように、第２実施形態との違いは、回転刃部３ａが第１のスペース２ｃと略同一の形状をしていることである。
図４（ｂ）は第３実施形態の回転部材３を拡大した斜視図である。このように、回転刃部３ａは、上面視で略円形の一部を成す稜線３ｂと、稜線３ｂの両端を結んだ直線３ｃで囲われた略弦状を成し、略弦状の回転刃部３ａの両端がエッジをなして刃を形成していることが好ましい。このような構成にすると、回転部材３に回転刃部３ａを成形する際に、第１のスペース２ｃに収容される以外の回転部材３の先端を長手方向に一部切り欠いて、第１のスペース２ｃに収容される固定部材２の先端をそのまま回転刃部３ａとすればよいことから、回転部材３の製造が容易となる。また、第２実施形態に比して、切断時における回転刃部３ａと電線５の接触面積が広くなることから、切断力が増しより確実に電線５を切断することができる。さらに、第１のスペース２ｃと第２のスペース２ｄは、間に挟まれる電線固定溝２ｂと合わせて、略円形を成していることから、略弦状の回転刃部３ａは、よりスムースに回転刃部３ａが第１のスペース２ｃと第２のスペース２ｄが形成された固定部材２の内周面を摺動回転することができる。
【００２６】
図５は、第４実施形態の電線切断治具を用いて電線を切断する動作を説明する図である。
図５（ａ）〜（ｃ）は第４実施形態の電線切断治具１の先端を拡大した平面図である。第４実施形態の電線切断治具の全体図は第１実施形態と同様である。
図５（ｄ）は第４実施形態の固定部材２を拡大した斜視図である。
図５（ａ）に示すように、第２実施形態ないし第３実施形態との違いは、固定部材２の先端に、固定刃部２ｅを設けたことである。すなわち、図５（ｄ）に示すように、第２のスペース２ｄが形成された固定部材２の内周面２ｆと電線固定溝２ｂの壁面２ｇが連接する端部を鋭角にしてなる固定刃部２ｅとしている。そして、図５（ｂ）に示すように、ハンドル４によって回転部材３を矢印方向に回転させると、回転刃部３ａが第１のスペース２ｃと第２のスペース２ｄが形成された固定部材２の内周面を摺動回転し、電線固定溝２ｂに固定された電線５を切断すると共に、固定刃部２ｅによっても電線５は切断される。つまり、対向する回転刃部３ａと固定刃部２ｅにより電線５を両側から切断することから、より少ない力で電線５を切断できる。このようにして、例えば固定部材２を切断開始位置から９０度回転させて電線５の切断が終わると、図５（ｃ）に示すように、切断後の電線５は第２のスペース２ｄに収容され、電線の切断面同士が接触してショートする危険性を防ぐことができる。
【００２７】
図６は、第５実施形態の電線切断治具を用いて電線を切断する動作を説明する図である。
図６（ａ）〜（ｃ）は第５実施形態の電線切断治具１の先端を拡大した図である。第５実施形態の電線切断治具の全体図は第１実施形態と同様である。
図６（ｄ）は第５実施形態の回転部材３を拡大した図である。
図６（ａ）、（ｄ）に示すように、第４実施形態との違いは、回転部材３に固定部材２を挿通した際に固定部材２の先端の第２のスペース２ｄに回転自在に収容される、電線戻し部３ｄを回転部材３の先端に設けたことである。すなわち電線戻し部３ｄは回転部材３の先端に突出して設けられ、電線戻し部３ｄの突出長さは電線固定溝２ｂの深さと同一である。そして、図６（ｂ）に示すように、ハンドル４によって回転部材３を矢印方向に回転させると、回転刃部３ａが第１のスペース２ｃと第２のスペース２ｄが形成された固定部材２の内周面を摺動回転し、電線固定溝２ｂに固定された電線５を切断すると共に、固定刃部２ｅによっても電線５は切断される。電線５の切断後、図６（ｃ）に示すように、回転部材３を切断方向と逆に回転させることで、電線戻し部３ｄが第２のスペース２ｄに収容された電線５に当接し、電線５を切断前の図６（ａ）の真直な状態に戻すことから、電線５の端部が曲がっている状態が不都合な製品等に対応して、切断後の電線の状態を選択することができる。
【００２８】
以上説明したように、本発明によると、ニッパや鋏上の刃物等が入り難い狭い場所に布線されている電線を容易に切断することができ、かつ、特別な機構を設けることなく電線切断後の切り屑が発生することを防止する電線切断治具を提供することができる。
【図面の簡単な説明】
【００２９】
【図１】本発明の第１実施形態の電線切断治具の全体を説明する斜視図である。
【図２】第１実施形態の電線切断治具を用いて電線を切断する動作を説明する図であり、（ａ）〜（ｄ）は第１実施形態の電線切断治具の先端を拡大した平面図である。
【図３】第２実施形態の電線切断治具を用いて電線を切断する動作を説明する図であり、（ａ）〜（ｂ）は第２実施形態の電線切断治具の先端を拡大した平面図であり、（ｃ）は第２実施形態の固定部材を拡大した斜視図である。
【図４】（ａ）は第３実施形態の電線切断治具の先端を拡大した平面図であり、（ｂ）は第３実施形態の回転部材を拡大した斜視図である。
【図５】第４実施形態の電線切断治具を用いて電線を切断する動作を説明する図であり、（ａ）〜（ｃ）は第４実施形態の電線切断治具の先端を拡大した平面図であり、（ｄ）は第４実施形態の固定部材を拡大した斜視図である。
【図６】第５実施形態の電線切断治具を用いて電線を切断する動作を説明する図であり、（ａ）〜（ｃ）は第５実施形態の電線切断治具の先端を拡大した平面図であり、（ｄ）は第５実施形態の回転部材を拡大した斜視図である。
【図７】従来の電線切断治具を用いて電線を切断する動作を説明する図である。
【符号の説明】
【００３０】
１    電線切断治具
２    固定部材
２ａ  軸孔
２ｂ  電線固定溝
２ｃ  第１のスペース
２ｄ  第２のスペース
２ｅ  固定刃部
３    回転部材
３ａ  回転刃部
３ｄ  電線戻し部
４    ハンドル
５    電線
６    切り屑
【図１】
2008168389.tif 000003
【図２】
2008168389.tif 000004
【図３】
2008168389.tif 000005
【図４】
2008168389.tif 000006
【図５】
2008168389.tif 000007
【図６】
2008168389.tif 000008
【図７】
2008168389.tif 000009